【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
シャッタ速度と絞り値とで決められる露出値を被写体の明るさに応じて自動調整するカメラ装置において、
フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整する制御手段を具備したことを特徴とするカメラ装置。
【請求項２】
シャッタ速度と絞り値とで決められる露出値を被写体の明るさに応じて自動調整するカメラ装置において、
第１のプログラム線図に従いシャッタ速度と絞り値とを設定して露出値を調整する第１調整手段と、
フォーカスモータ駆動動作、光学ズームモータ駆動動作、フラッシュ充電動作、レンズ繰り出し動作、撮像された画像のデータをメモリへ書き込む動作の何れかの動作中に前記第１のプログラム線図から逸脱したシャッタ速度の設定を許容する第２のプログラム線図に従い露出値を調整する第２調整手段とを有し、
前記第１調整手段は、前記所定動作の終了時に、前記第２のプログラム線図による設定を前記第１のプログラム線図に従う設定にすることを特徴とするカメラ装置。
【請求項３】
シャッタ速度と絞り値とで決められる露出値を被写体の明るさに応じて自動調整する露出制御方法であって、
フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整することを特徴とする露出制御方法。
【請求項４】
シャッタ速度と絞り値とで決められる露出値を被写体の明るさに応じて自動調整するカメラ装置に搭載されたコンピュータを、
フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整する制御手段として機能させるための露出制御プログラム。
【手続補正２】
【補正対象書類名】明細書
【補正対象項目名】０００８
【補正方法】変更
【補正の内容】
【０００８】
請求項１記載の発明は、シャッタ速度と絞り値とで決められる露出値を被写体の明るさに応じて自動調整するカメラ装置において、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整する制御手段を具備したことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項２記載の発明は、シャッタ速度と絞り値とで決められる露出値を被写体の明るさに応じて自動調整するカメラ装置において、第１のプログラム線図に従いシャッタ速度と絞り値とを設定して露出値を調整する第１調整手段と、フォーカスモータ駆動動作、光学ズームモータ駆動動作、フラッシュ充電動作、レンズ繰り出し動作、撮像された画像のデータをメモリへ書き込む動作の何れかの動作中に前記第１のプログラム線図から逸脱したシャッタ速度の設定を許容する第２のプログラム線図に従い露出値を調整する第２調整手段とを有し、前記第１調整手段は、前記所定動作の終了時に、前記第２のプログラム線図による設定を前記第１のプログラム線図に従う設定にすることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項３記載の発明は、シャッタ速度と絞り値とで決められる露出値を被写体の明るさに応じて自動調整する露出制御方法であって、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整することを特徴とする。
【手続補正９】
【補正対象書類名】明細書
【補正対象項目名】００１５
【補正方法】変更
【補正の内容】
【００１５】
請求項４記載の発明は、シャッタ速度と絞り値とで決められる露出値を被写体の明るさに応じて自動調整するカメラ装置に搭載されたコンピュータを、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整する制御手段として機能させるためことを特徴とする。
【手続補正１０】
【補正対象書類名】明細書
【補正対象項目名】００１６
【補正方法】変更
【補正の内容】
【００１６】
請求項１記載の発明によれば、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整することで、絞り値の変更動作と他の動作との同時実行による電圧降下やノイズの発生を防止しながら適正な露出制御をすることができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
請求項２記載の発明によれば、通常動作時には第１のプログラム線図に従いシャッタ速度と絞り値とを設定することで露出値を調整し、フォーカスモータ駆動動作、光学ズームモータ駆動動作、フラッシュ充電動作、レンズ繰り出し動作、撮像された画像のデータをメモリへ書き込む動作の何れかの動作中には第１のプログラム線図から逸脱したシャッタ速度の設定を許容する第２のプログラム線図に従いシャッタ速度を設定することにより、この何れかの動作中に絞り値の変更ができない場合であってもプログラム線図に従って露出値を調整することができる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
請求項３記載の発明によれば、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整することで、絞り値の変更動作と他の動作との同時実行による電圧降下やノイズの発生を防止しながら適正な露出制御をすることができる。
【手続補正１７】
【補正対象書類名】明細書
【補正対象項目名】００２３
【補正方法】変更
【補正の内容】
【００２３】
請求項４記載の発明によれば、フォーカスモータ駆動動作、光学ズームモータ駆動動作、フラッシュ充電動作、レンズ繰り出し動作、撮像された画像のデータをメモリへ書き込む動作の何れかの動作の実行中に、絞り値の変更を制限し、シャッタ速度の変更により露出値を調整することで、絞り値の変更動作と他の動作との同時実行による電圧降下やノイズの発生を防止しながら適正な露出制御をするようにコンピュータを機能させることができる。